(57)【要約】      （修正有）【課題】ニードルレス混注管において、スリップインタイプ、ロックタイプの吐出管部のいずれにおいても好適に利用ができ、シリンジの脱落防止が図られたニードルレス混注管を提供する。【解決手段】チューブ固定管１１と、チューブ固定管１１と分岐してシリンジ等の機器の吐出管部が挿入される側管１２と、側管１２内で移動可能に設けられ、吐出管部により押し込まれるとともに吐出管部と流通される内筒１４と、内筒１４が待機位置から開弁位置まで押し込まれて開弁する割弁２と、を有し、側管１２には、吐出管部との間で静止摩擦力を発揮させることで吐出管部を保持し、内筒１４を開弁位置に位置させ、割弁２の開弁を維持させる抜け止め部が設けられる、ニードルレス混注管とする。【選択図】図３
0003212189.tif 000002
【実用新案登録請求の範囲】
【請求項１】
チューブ固定管と、
前記チューブ固定管と分岐する側管と、
前記側管に固定され、シリンジ等の機器の吐出管部が挿入され前記側管と同軸の縦孔部を有する本体キャップと、
前記本体キャップの縦孔部内で移動可能に設けられ、前記吐出管部により押し込まれるとともに前記吐出管部と流通される内筒と、
前記内筒が待機位置から開弁位置まで押し込まれることで開弁する割弁と、を有し、
前記本体キャップには、
前記吐出管部との間で静止摩擦力を発揮させることで前記吐出管部を保持し、
前記内筒を開弁位置に位置させ、前記割弁の開弁を維持させる抜け止め部が設けられ、
前記内筒が前記開弁位置から前記待機位置に戻されるときに、
前記割弁は、前記割弁が発揮する弾性力により閉状態となるものであり、
前記割弁は円板状であって、
前記割弁の中心線方向における一方側から前記内筒が押し込まれるものであり、
前記割弁における、前記中心線方向の一方側には前記中心線を取り囲むような円環状面が構成されており、前記円環状面は、前記中心線側が前記他方側に位置する傾斜を有し、
前記割弁における、前記中心線方向の他方側には前記中心線を取り囲むような円環状面が構成されており、前記円環状面は、前記中心線側が前記他方側に位置する傾斜を有し、
前記吐出管部は前記内筒に対して押し込まれて互いに嵌合し、
両者の間に静止摩擦力が発生する構成とする、ニードルレス混注管。
【請求項２】
前記本体キャップの内部には、前記割弁の一方側の前記円環状面を上から押さえつける円環状の内側筒部が設けられ、
前記内側筒部における前記割弁の一方側の円環状面を上から押さえつける面は、前記中心線側が前記他方側に位置する傾斜を有し、
前記側管の内部には、前記割弁の他方側の円環状面を支える円環状の突起部が設けられ、
前記突起部における前記割弁の他方側の円環状面を支える面は、前記中心線側が前記他方側に位置する傾斜を有する、
ことを特徴とする請求項１に記載のニードルレス混注管。
【請求項３】
前記抜け止め部は、前記本体キャップの縦孔部の先端部を前記中心線方向側に突出させてなる環状凸形状部にて構成され、
前記環状凸形状部の内壁面が、前記吐出管部の外周面に密着して前記静止摩擦力を発揮させ、
前記環状凸形状部の一側面が、前記内筒に当接し、
前記環状凸形状部の他側面が、前記本体キャップの最も先端となる部位を構成している、
ことを特徴とする請求項１又は請求項２に記載のニードルレス混注管。
【請求項４】
前記本体キャップには前記ロックタイプの吐出管部と螺合するネジ山を有し、
前記吐出管部を回転させて螺合を進行させるのにしたがって、
前記吐出管部の内筒を開弁位置まで移動させて割弁を開状態とする、
ことを特徴とする請求項１乃至請求項３のいずれか一項に記載のニードルレス混注管。
【考案の詳細な説明】
【技術分野】
【０００１】
本考案は、ニードルレス混注管に関し、より詳しくは、血液回路等から輸液セットや輸血セット等を用いた採血や薬液投与等の際に、シリンジの吐出管部に採血針を取り付けたり、取り外す際に誤って手等に穿刺針を刺すなどの誤針事故がなく、また吐出管部を側菅に挿入し採血や薬液投与する際に、針が脱落したり、側菅との挿入時に、接続部から吐出管部が脱落し、血液汚染や治療上の支障を生じない等の優れた安全性を有し、使用・扱い時の感染を防止したニードルレス混注管に関するものである。
【背景技術】
【０００２】
従来、特許文献１に開示されるように、ニードルレスシリンジ（針無シリンジ）で直接的に混注管と接続して採血又は薬液投与が行なえるニードルレス混注管が知られている。
【０００３】
また、特許文献２に開示されるように、ニードルレスシリンジが接続されるコネクタを側管に対して所定の位置で押し込み可能に設けるとともに、コネクタを押し込んだ位置で回転させることでロック状態としつつ、このロック状態で割り弁が開放されてニードルレスシリンジと血液回路等の本体流路が通液状態となるニードルレス混注管が知られている。
【先行技術文献】
【特許文献】
【０００４】
【特許文献１】特開２０００−３５４６３６号公報
【特許文献２】特許第３７６１８５４号明細書
【考案の概要】
【考案が解決しようとする課題】
【０００５】
ニードルレス混注管の側管には、プランジャーを移動させて採血等を行うニードレスシリンジの先端に設けられる吐出管部の他、輸血バッグ等と接続される各種チューブの末端に設けられる吐出管部など、各種の吐出管部が嵌合接続されるものである。
【０００６】
そして、この吐出管部においては、一般的には、ロック機構にて混注管に対してロックされるロックタイプ（例えば、ロックタイプシリンジ）と、ロック機能を有さずに嵌合接続されるスリップインタイプ（例えば、スリップインタイプシリンジ）の二種類がある。
【０００７】
ロックタイプの吐出管部の場合、吐出管部は混注管に対してネジ嵌合により固定され、シリンジ等の機器全体が混注管に対してロックされる。
【０００８】
一方、スリップインタイプの吐出管部の場合、吐出管部は混注管に対してネジ嵌合による固定はされず、吐出管部を混注管に差し込むだけで使用される。
【０００９】
このように、シリンジやチューブ等の各種機器の吐出管部と混注管との接続には二種類の形態が存在し、混注管については、各吐出管部の種類に対応するための専用の構成が必要とされていた。
【００１０】
例えば、特許文献２に開示される構成では、コネクタに形成されたシリンジ取付突起に対しロックタイプの吐出管部がネジ嵌合される構成としており、ロックタイプの吐出管部に対応する構成を有している。つまり、吐出管部の混注管からの脱落防止が図られた構成となっている。
【００１１】
なお、この特許文献２に開示される構成においても、スリップインタイプの吐出管部を嵌合接続して使用することはできる。しかしながら、スリップインタイプの吐出管部が使用された場合にはロックがされないため、吐出管部を常に保持しておかないと、吐出管部が混注管から脱落する可能性がある。このため、特許文献２に開示される構成は、スリップインタイプの吐出管部との嵌合接続が可能であるものの、やはり、ロックタイプの吐出管部との接続に好適な構成であるといえる。
【００１２】
そこで、本考案は以上の問題に鑑み、ニードルレス混注管において、スリップインタイプ、ロックタイプのいずれの吐出管部においても好適に利用ができ、吐出管部の脱落防止が図られたニードルレス混注管を提案するものである。
【００１３】
さらに、特許文献２の構成では、コネクタを押し込む際にコネクタの角度を所定の位置に合わせる必要があるため、使用者に位置合わせの作業負担を強いるものであった。また、位置合わせの工程のためのマニュアル作成や、使用者に対する研修・指導も必要となってしまう。
【００１４】
そこで、本考案の他の課題は、操作性に優れより使いやすい新規な構成のニードルレス混注管を提案するものである。
【課題を解決するための手段】
【００１５】
本考案の解決しようとする課題は以上の如くであり、次にこの課題を解決するための手段を説明する。
【００１６】
即ち、請求項１に記載のごとく、
チューブ固定管と、
前記チューブ固定管と分岐する側管と、
前記側管に固定され、シリンジ等の機器の吐出管部が挿入され前記側管と同軸の縦孔部を有する本体キャップと、
前記本体キャップの縦孔部内で移動可能に設けられ、前記吐出管部により押し込まれるとともに前記吐出管部と流通される内筒と、
前記内筒が待機位置から開弁位置まで押し込まれることで開弁する割弁と、を有し、
前記本体キャップには、
前記吐出管部との間で静止摩擦力を発揮させることで前記吐出管部を保持し、
前記内筒を開弁位置に位置させ、前記割弁の開弁を維持させる抜け止め部が設けられ、
前記内筒が前記開弁位置から前記待機位置に戻されるときに、
前記割弁は、前記割弁が発揮する弾性力により閉状態となるものであり、
前記割弁は円板状であって、
前記割弁の中心線方向における一方側から前記内筒が押し込まれるものであり、
前記割弁における、前記中心線方向の一方側には前記中心線を取り囲むような円環状面が構成されており、前記円環状面は、前記中心線側が前記他方側に位置する傾斜を有し、
前記割弁における、前記中心線方向の他方側には前記中心線を取り囲むような円環状面が構成されており、前記円環状面は、前記中心線側が前記他方側に位置する傾斜を有し、
前記吐出管部は前記内筒に対して押し込まれて互いに嵌合し、
両者の間に静止摩擦力が発生する構成とする、ニードルレス混注管とするものである。
【００１７】
また、請求項２に記載のごとく、
前記本体キャップの内部には、前記割弁の一方側の前記円環状面を上から押さえつける円環状の内側筒部が設けられ、
前記内側筒部における前記割弁の一方側の円環状面を上から押さえつける面は、前記中心線側が前記他方側に位置する傾斜を有し、
前記側管の内部には、前記割弁の他方側の円環状面を支える円環状の突起部が設けられ、
前記突起部における前記割弁の他方側の円環状面を支える面は、前記中心線側が前記他方側に位置する傾斜を有する、こととするものである。
【００１８】
また、請求項３に記載のごとく、
前記抜け止め部は、前記本体キャップの縦孔部の先端部を前記中心線方向側に突出させてなる環状凸形状部にて構成され、
前記環状凸形状部の内壁面が、前記吐出管部の外周面に密着して前記静止摩擦力を発揮させ、
前記環状凸形状部の一側面が、前記内筒に当接し、
前記環状凸形状部の他側面が、前記本体キャップの最も先端となる部位を構成している、こととするものである。
【００１９】
また、請求項４に記載のごとく、
前記本体キャップにはロックタイプの吐出管部のロック部と螺合するネジ山を有し、
前記吐出管部を回転させて螺合を進行させるのにしたがって、
前記吐出管部の内筒を開弁位置まで移動させて割弁を開状態とする、こととする。
【考案の効果】
【００２０】
本考案の効果として、以下に示すような効果を奏する。
【００２１】
本考案によれば、側管と吐出管部の間で生じる静止摩擦力にてニードルレス混注管からの吐出管部の脱落を防止して安全性を確保することができ、また、スリップインタイプ、ロックタイプのいずれの吐出管部についても好適に利用することができる。また、例えば、ニードルレスシリンジが脱落した際には、内筒が閉塞孔から押し出されて待機位置に戻され、割弁の閉状態が維持されることによって、血液が外に漏れてしまうことを防止できる。また、吐出管部が内筒から引き抜かれる際に、適度な外し感覚（クリック感）を発生させることができ、作業者に対し安心感を与えることができる。つまり、仮に、なんら抵抗がなく、外し感覚が発生せずにシリンジ等の機器がいきなり外れてしまうと、外れるタイミングが認識できないものとなるが、外し感覚が発生することで、外れるタイミングを認識することができることになる。
また、吐出管部の取り付けと同時に割弁を開くことができることになり、従来の吐出管部のロック、その後の回転操作により割弁を開く、といった二段階の操作が必要となるものと比較して、操作性に優れたものとなる。
【図面の簡単な説明】
【００２２】
【図１】本考案のニードルレス混注管の断面斜視図である。
【図２】本考案のニードルレス混注管の分解斜視図である。
【図３】本考案のニードルレス混注管の分解斜視図である。
【図４】割弁が閉状態でのニードルレス混注管の断面図である。
【図５】割弁が開状態でのニードルレス混注管の断面図である。
【図６】ロックタイプのシリンジを用いる場合の割弁が閉状態でのニードルレス混注管の断面図である。
【図７】ロックタイプのシリンジを用いる場合の割弁が開状態でのニードルレス混注管の断面図である。
【図８】円環状面の傾斜等について説明する図である。
【考案を実施するための形態】
【００２３】
図１は本考案のニードルレス混注管の構造を示す斜視図である。図２，図３はニードルレス混注管の分解斜視図である。図４は割弁が閉じられて本体流路とシリンジ内が流通していない状態について示すニードルレス混注管の断面図である。図５は割弁が開かれて本体流路とシリンジ内が流通している状態について示すニードルレス混注管の断面図である。なお、以下の実施例では、ニードルレス混注管に接続される機器としてシリンジを例として用いるが、機器としては、例えば、輸血バッグに接続されるチューブなど、各種機器が考えられる。
【００２４】
図１乃至図３に示すように、ニードルレス混注管１ＡのＴ字管本体１は、図において横方向に伸びるチューブ固定管１１と、チューブ固定管１１の長さ方向中途部においてチューブ固定管１１の軸方向と直交する方向に伸びる側管１２を有している。
【００２５】
なお、本明細書の記載において、チューブ固定管１１の長さ方向を左右方向とし、この左右方向と直交する方向を上下方向とし、側管１２においてチューブ固定管１１に近い側を下側とし、その反対側を上側とする。
【００２６】
側管１２の内部には、弁体が設けられる。本実施例では、側管１２の内部において、割弁２を下側から支える円環状の突起部１２ｂが形成されており、この突起部１２ｂの上に円板状の割弁２を収める収容空間１２ｃが形成されている。
【００２７】
この割弁２の素材としては、例えば、シリコーンゴム、天然ゴム（例えば純化天然ゴム）、ポリウレタン、軟質ポリ塩化ビニル、スチレン−ブタジエン共重合体、ポリイソプレン、アクリロニトリル−ブタジエン系共重合体等が挙げられる。好ましくは、シリコーンゴム、純化天然ゴム又はポリイソプレンである。
【００２８】
円板状の割弁２の中心部には、溝状切込部を有する閉塞孔２ａが設けられる。この閉塞孔２ａは、密着孔であって、孔の内面は互いに密着して閉じられて気密状態が確保できるようになっている。また、閉塞孔２ａに対して内筒１４の穿刺部１４ｂが押入されると、容易に開かれて内筒１４の流路１４ｃとチューブ固定管１１内の流路１１ａが流通される。
【００２９】
側管１２の上部には、本体キャップ１６が取り付けられる。本体キャップ１６は、側管１２の内側に配置され割弁２の上面に対向する内側筒部１６ａと、側管１２の外側に配置された外周突起部１２ｍに嵌合する外側筒部１６ｂと、中心部において上方に伸びるコネクタ部１６ｃと、を有している。
【００３０】
本体キャップ１６の内側筒部１６ａの下端部は割弁２に対向し、割弁２の上面を押さえつけるようにして、側管１２内で割弁２がずれないようになっている。
【００３１】
本体キャップ１６の外側筒部１６ｂは、側管１２の外周を取り囲むように配置され、側管１２の外側に配置された外周突起部１２ｍに対し内周突起部１６ｍを嵌合させることで、本体キャップ１６が側管１２に固定される。
【００３２】
コネクタ部１６ｃの外周面には、ネジ山１６ｄが形成されており、このネジ山１６ｄに対してループ付キャップ９や、図示せぬロックタイプのシリンジのロック部（ネジ部）が螺合される（図６参照）。
【００３３】
図２及び図３に示すように、ループ付キャップ９は、蓋部９ａと、側管１２の周囲を取り囲む環状取付体９ｂと、を有し、蓋部９ａと環状取付体９ｂがループ（連結部材）９ｃを介して接続されている。ループ付キャップ９は、ゴミや塵がコネクタ部１６ｃに付着するのを防止すべく機能する。
【００３４】
また、ループ付キャップ９のループ９ｃの長さは、環状取付体９ｂを側管１２に引っ掛けたまま蓋部９ａの着脱が可能となる長さとなっており、蓋部９ａを外した際にもＴ字管本体１に繋がれたままにすることができ、ループ付キャップ９の紛失を防止できる。また、使用中、蓋部９ａを一時的に机などの上に置くようなことがないので、衛生面の向上が期待できる。また置いた場所が分からなくなるようなこともない。さらに、蓋の着脱が平易となり作業効率上好ましいなどの優れた効果も奏される。
【００３５】
また、図１に示すように、内側筒部１６ａとコネクタ部１６ｃには、上下方向に伸びる一連の縦孔部１６ｅが形成されており、この縦孔部１６ｅに内筒１４が上下方向に移動可能に納められる。
【００３６】
内筒１４には、シリンジの吐出管部３２（図４参照）が嵌入される嵌入孔部１４ａと、割弁２に対して押し込まれる穿刺部１４ｂが形成される。嵌入孔部１４ａと穿刺部１４ｂには、互いに連通する流路１４ｃ，１４ｄが形成される。
【００３７】
コネクタ部１６ｃの上部には、縦孔部１６ｅの内側に突出する円環突起状の抜け止め部１６ｆが形成されており、この抜け止め部１６ｆに内筒１４の上端部が当接することで、本体キャップ１６からの内筒１４の脱落が規制される。
【００３８】
また、図４は内筒１４が押し込まれずに割弁２が閉じられた状態を示しており、内筒１４は待機位置に配置されている。このように、内筒１４が押し込まれない限りは、割弁２が閉じられたままとなり、チューブ固定管１１内の流路１１ａと、内筒１４の流路１４ｃ，１４ｄの連通が遮断され、チューブ固定管１１内の流路１１ａの気密性が保たれる。
【００３９】
また、図４に示すように、内筒１４の嵌入孔部１４ａには、シリンジ３０の吐出管部３２が嵌入される。このシリンジ３０は、スリップインタイプとして構成されており、吐出管部３２の部位にネジ部が形成されておらず、コネクタ部１６ｃのネジ山１６ｄに対してロックが行われるものではない。
【００４０】
図４の拡大図にも示されるように、嵌入孔部１４ａの内壁面１４ｅは、シリンジ３０の吐出管部３２の外周面３２ｅに形成されるテーパー形状と略同一の傾斜を有するテーパー面で構成されており、吐出管部３２が嵌入孔部１４ａに挿入されると、外周面３２ｅが内壁面１４ｅに密着し、両者に生じる静止摩擦力Ｆ１によって、吐出管部３２と内筒１４が一体化された状態となる。
【００４１】
ここで、静止摩擦力Ｆ１は、吐出管部３２が内筒１４から引き抜かれる際に、適度な外し感覚（クリック感）を発生させることができ、作業者に対し安心感を与えることができる。つまり、仮に、なんら抵抗がなく、外し感覚が発生せずにシリンジ３０がいきなり外れてしまうと、外れるタイミングが認識できないものとなるが、外し感覚が発生することで、外れるタイミングを認識することができることになる。
【００４２】
図５では、シリンジ３０とともに内筒１４が押し込まれ、割弁２が開かれた状態が示されており、内筒１４は開弁位置に配置されている。このように、内筒１４が押し込まると、チューブ固定管１１内の流路１１ａと、内筒１４の流路１４ｃ，１４ｄが連通され、この流路１４ｃ，１４ｄを介してチューブ固定管１１内の流路１１ａとシリンジ３０（吐出管部３２）の流路３２ａが連通される。この状態でシリンジ３０に設ける図示せぬプランジャーを動作させることで、採血や薬液投与等が可能となる。
【００４３】
また、図５の状態は、図４の状態からシリンジ３０をさらに下方に移動させるだけで容易に確立できる。つまり、シリンジ３０を押し込んで割弁２を開く際に、シリンジ３０を回転させて位置あわせをする必要もなく、操作性に優れより使いやすい構成が実現できる。
【００４４】
そして、図５に示すように、シリンジ３０は、吐出管部３２の外周面３２ｅがコネクタ部１６ｃの抜け止め部１６ｆに圧着されるまで押し込まれる。つまり、図４の状態からシリンジ３０を押し込むと、吐出管部３２の外周面３２ｅが抜け止め部１６ｆの内壁面１６ｇに当接し、シリンジ３０の押し込みが規制される。
【００４５】
この抜け止め部１６ｆによるシリンジ３０の押し込み規制がされた状態では、内筒１４の穿刺部１４ｂが割弁２を通過し、チューブ固定管１１内の流路１１ａと、吐出管部３２の流路３２ａが連通される。
【００４６】
また、シリンジ３０の吐出管部３２の外周面３２ｅは、先端に向かって径が細くなるテーパー形状をなしており、外周面３２ｅが抜け止め部１６ｆの内壁面１６ｇに当接すると、シリンジ３０の押し込みが規制されるとともに、外周面３２ｅが内壁面１６ｇに密着し、両者に生じる静止摩擦力Ｆ２によって、吐出管部３２が抜け止め部１６ｆ（コネクタ部１６ｃ）と一体化された状態となる。
【００４７】
そして、この静止摩擦力Ｆ２により、吐出管部３２の移動が規制されることで、コネクタ部１６ｃからのシリンジ３０の抜けが防止されるとともに、割弁２の弾性力に抗して内筒１４が穿刺された状態を維持することができる。つまり、シリンジ３０の抜け防止と、割弁２の開状態の維持（通液状態の維持）を同時に確立できる。
【００４８】
採血又は薬液投与を終え、シリンジ３０を取り外す際には、静止摩擦力Ｆ２よりも大きな力を加えることで、吐出管部３２の外周面３２ｅを抜け止め部１６ｆの内壁面１６ｇから離すことができる。
【００４９】
他方、意図せぬ外力が加わるなどして吐出管部３２が抜け止め部１６ｆから離れてしまい、図４に示す状態となった場合には、割弁２の弾性力により内筒１４が抜け止め部１６ｆの位置まで移動されるとともに、割弁２は閉状態となり、チューブ固定管１１内の流路１１ａの気密性が保たれる。これにより、流路１１ａを流れる血液が外に漏れてしまうことがない。
【００５０】
さらに、図４に示すように、吐出管部３２が抜け止め部１６ｆから離れてしまった場合であっても、吐出管部３２の外周面３２ｅと内筒１４の内壁面１４ｅの間に生じる静止摩擦力Ｆ１により、内筒１４から吐出管部３２が外れることが規制され、内筒１４の流路１４ｃ，１４ｄや、シリンジ３０内の血液が外に漏れてしまうことがない。
【００５１】
加えて、静止摩擦力Ｆ１に抗して吐出管部３２が内筒１４から外れる際には、割弁２は既に閉状態となっているため、チューブ固定管１１内の流路１１ａの気密性が保たれることになる。これにより、流路１１ａを流れる血液が外に漏れてしまうことがない。
【００５２】
また、吐出管部３２が内筒１４から外れた際に割弁２を確実に閉状態となるように、割弁２の弾性力は適宜設計されることが必要となる。具体的には、本実施例においては、吐出管部３２と抜け止め部１６ｆ（内壁面１６ｇ）の間の静止摩擦力Ｆ２よりも小さく、かつ、吐出管部３２が抜け止め部１６ｆから外れた際に、内筒１４を押し出して（吐き出す）割弁２を閉状態とできるように設計されることが必要となる。
【００５３】
次に、図６及び図７に示すように、ロックタイプのシリンジ４０を用いる場合の例について説明する。
図６及び図７は、ロックタイプのシリンジ４０を用いる場合の例について示すものであり、ロックタイプのシリンジ４０の吐出管部４２の周囲に設けた筒状のロック部４４（ネジ部）が、コネクタ部１６ｃのネジ山１６ｄに螺合してロックされる状態について示している。
【００５４】
ここで、ロックタイプのシリンジ４０のロック部４４をネジ山１６ｄに螺合させてロックをさせる、つまりは、ロックタイプのシリンジ４０を回転させてコネクタ部１６ｃに取り付ける際には、吐出管部４２が下方へと進行して内筒１４の嵌入孔部１４ａに嵌入されるとともに、内筒１４が下方へと移動して、割弁２が開かれる。
【００５５】
このようにして、ロックタイプのシリンジ４０の取り付けと同時に割弁２を開くことができる。これにより、従来のシリンジのロック、その後の回転操作により割弁を開く、といった二段階の操作が必要となるものと比較して、操作性に優れたものとなる。
【００５６】
他方、ロックタイプのシリンジ４０が取り外される際には、ロック部４４が緩められることで吐出管部４２が上方へと移動し、これに伴って割弁２が上方へと移動することで、割弁２が閉じられる。
【００５７】
このようにして、ロックタイプのシリンジ４０の取り外しと同時に割弁２を閉じることができる。これにより、従来の割弁の閉鎖、その後のシリンジの取り外し、といった二段階の操作が必要となるものと比較して、操作性に優れたものとなる。
【００５８】
以上のように、ロックタイプのシリンジ４０を用いる場合においては、シリンジのロックと、割弁の開閉といった二段階の操作を一段階で行うことができ、シリンジのロックと割弁の開閉を個別に意識せずに作業することが可能となる。
【００５９】
さらに、図４に示されるスリップインタイプの吐出管部の場合と同様に、ロックタイプにおいても、ロック部４４がネジ山１６ｄから外れた状態において、吐出管部と内筒の間に生じる静止摩擦力Ｆ１によって、吐出管部が内筒から引き抜かれる際に、適度な外し感覚（クリック感）を発生させることができ、作業者に対し安心感を与えることができる。
【００６０】
以上のようにして本考案を実施することができる。
即ち、図１乃至図５に示すように、
チューブ固定管１１と、
チューブ固定管１１と分岐してニードルレスシリンジ３０等の機器の吐出管部３２が挿入される側管１２と、
側管１２内で移動可能に設けられ、吐出管部３２により押し込まれるとともに吐出管部３２と流通される内筒１４と、
内筒１４が待機位置から開弁位置まで押し込まれることで開弁する割弁２と、を有し、
側管１２には、
吐出管部３２との間で静止摩擦力Ｆ２を発揮させることで吐出管部３２を保持し、
内筒１４を開弁位置に位置させ、割弁２の開弁を維持させる抜け止め部１６ｆが設けられる、
ニードルレス混注管１Ａとするものである。
【００６１】
これにより、側管１２と吐出管部３２の間で生じる静止摩擦力Ｆ２にてニードルレス混注管１Ａからの吐出管部３２の脱落を防止して安全性を確保することができ、また、スリップインタイプ、ロックタイプのいずれの吐出管部についても好適に利用することができる。
【００６２】
また、図４に示すように、
内筒１４が開弁位置から待機位置に戻されるときに、
割弁２は、割弁２が発揮する弾性力により閉状態となる、こととするものである。
【００６３】
これにより、例えば、シリンジ３０等の機器が脱落した際には、内筒１４が閉塞孔２ａから押し出されて待機位置に戻され、割弁２の閉状態が維持されることによって、血液が外に漏れてしまうことを防止できる。
【００６４】
また、図４に示すように、
吐出管部３２は内筒１４に対して押し込まれて互いに嵌合し、
両者の間に静止摩擦力Ｆ１が発生する構成とする、こととするものである。
【００６５】
これにより、吐出管部３２が内筒１４から引き抜かれる際に、適度な外し感覚（クリック感）を発生させることができ、作業者に対し安心感を与えることができる。つまり、仮に、なんら抵抗がなく、外し感覚が発生せずにシリンジ３０等の機器がいきなり外れてしまうと、外れるタイミングが認識できないものとなるが、外し感覚が発生することで、外れるタイミングを認識することができることになる。
【００６６】
また、図６及び図７に示すように、
側管１２にはロックタイプの吐出管部４２のロック部４４と螺合するネジ山１６ｄを有し、
吐出管部４２を回転させて螺合を進行させるのにしたがって、
吐出管部４２の内筒１４を開弁位置まで移動させて割弁２を開状態とする、こととする。
【００６７】
これにより、ロックタイプのシリンジ４０の取り付けと同時に割弁２を開くことができる。また、従来のシリンジのロック、その後の回転操作により割弁を開く、といった二段階の操作が必要となるものと比較して、操作性に優れたものとなる。
【００６８】
さらに、本考案では、図１乃至図８に示すように、以下の構成が実現されております。
チューブ固定管１１と、
チューブ固定管１１と分岐する側管１２と、
側管１２に固定され、シリンジ等の機器の吐出管部３２が挿入され側管と同軸の縦孔部を有する本体キャップ１６と、
本体キャップ１６の縦孔部内で移動可能に設けられ、吐出管部により押し込まれるとともに吐出管部３２と流通される内筒１４と、
内筒１４が待機位置から開弁位置まで押し込まれることで開弁する割弁２と、を有し、
本体キャップ１６には、
吐出管部３２との間で静止摩擦力Ｆ２を発揮させることで吐出管部３２を保持し、
内筒１４を開弁位置に位置させ、割弁２の開弁を維持させる抜け止め部１６ｆが設けられ、
内筒１４が開弁位置から待機位置に戻されるときに、
割弁２は、割弁２が発揮する弾性力により閉状態となるものであり、
割弁２は円板状であって、
割弁２の中心線方向における一方側から内筒１４が押し込まれるものであり、
割弁２における、中心線方向の一方側には中心線を取り囲むような円環状面２１が構成されており、円環状面２１は、中心線側が他方側に位置する傾斜Ｒ２を有し、
割弁２における、中心線方向の他方側には中心線を取り囲むような円環状面２２が構成されており、円環状面２２は、中心線側が他方側に位置する傾斜Ｒ３を有し、
吐出管部３２は内筒１４に対して押し込まれて互いに嵌合する構成とする。
【００６９】
また、
本体キャップ１６の内部には、割弁２の一方側の円環状面２１を上から押さえつける円環状の内側筒部１６ａが設けられ、
内側筒部１６ａにおける割弁２の一方側の円環状面２１を上から押さえつける面１６ｘは、中心線側が他方側に位置する傾斜Ｒ２を有し、
側管１２の内部には、割弁２の他方側の円環状面２２を支える円環状の突起部１２ｂが設けられ、
突起部１２ｂにおける割弁２の他方側の円環状面２２を支える面１２ｘは、中心線側が他方側に位置する傾斜Ｒ３を有する、こととする。
【００７０】
また、
抜け止め部１６ｆは、本体キャップ１６の縦孔部の先端部を中心線方向側に突出させてなる環状凸形状部にて構成され、
環状凸形状部の内壁面１６ｇが、吐出管部３２の外周面３２ｅに密着して静止摩擦力Ｆ２を発揮させ、
環状凸形状部の一側面１６ｕが、内筒１４に当接し、
環状凸形状部の他側面１６ｈが、本体キャップ１６の最も先端となる部位を構成している、こととする。
【００７１】
また、
本体キャップ１６には（ロックタイプの）吐出管部３２と螺合するネジ山を有し、
吐出管部３２を回転させて螺合を進行させるのにしたがって、
吐出管部３２の内筒１４を開弁位置まで移動させて割弁２を開状態とする、こととする。
【００７２】
より詳しくは、図８に示すように、『一方側』を上側とし、『他方側』を下側とした場合において、上側の円環状面２１の傾斜Ｒ２は、中心側が“低く”なる傾斜方向であり、下側の円環状面２２の傾斜Ｒ３も中心側が“低く”なる傾斜方向を有している。
【００７３】
このような傾斜Ｒ２，Ｒ３が設けられていることにより、内筒１４が割弁２に押し込まれた状況では、傾斜Ｒ２，Ｒ３と直交する斜め上方向の弾性力Ｆ３（圧縮に対する反力）を発生させることができる。
【００７４】
さらに、割弁２を上から押さえつける面１６ｘと、割弁２を支える側の面１２ｘについても傾斜Ｒ２，Ｒ３が構成されることで、傾斜Ｒ２，Ｒ３と直交する斜め上方向の弾性力Ｆ３をより確実に発生させることが可能となる。
【００７５】
ここで、弾性力Ｆ３は、割弁２の中心側（閉塞孔２ａに近い側）に向かう分力Ｆ３ａの成分と、上方向の分力Ｆ３ｂの成分を有することになる。そして、分力Ｆ３ａは、横方向に作用するものであり、閉鎖孔２ａの部位を横方向から押圧することで、閉鎖孔２ａを素早く、かつ、確実に閉鎖するように作用する。
【００７６】
他方、分力Ｆ３ｂは、上方向に作用するものであり、内筒１４を下から上に突き上げるように作用する。これにより、シリンジのロックが解除された際には、内筒を素早く、かつ、確実に押し上げて閉鎖孔２ａから抜け出させるように作用する。
【００７７】
以上のように、本願考案の構成であれば、傾斜Ｒ２，Ｒ３の存在により、二つの方向の分力Ｆ３ａ，Ｆ３ｂを有する弾性力Ｆ３を発生させることが可能となる。そして、シリンジのロックが解除された際には、分力Ｆ３ｂにより内筒が素早く、かつ、確実に押し上げられて閉鎖弁２ａが瞬時に閉鎖され血液の漏れを防ぐことが可能となるとともに、閉鎖後は、分力Ｆ３ａによりその閉鎖状態を確実に維持することが可能となる。
【００７８】
さらに、図５に示すように、抜け止め部１６ｆは環状凸形状部にて構成され、環状凸形状部の内壁面１６ｇが、吐出管部３２の外周面３２ｅに密着して静止摩擦力Ｆ２を発揮させることとし、この環状凸形状部は、本体キャップ１６の最も先端になる位置に形成されており、その端面となる他側面１６ｈが、本体キャップ１６の最も先端となる部位を構成している。
【００７９】
これにより、シリンジ３０を押し込んだ際には、吐出管部３２の外周面３２ｅを必ず抜け止め部１６ｆの内壁面１６ｇに当接させることができ、シリンジ３０の押し込みが規制されるとともに、外周面３２ｅが内壁面１６ｇに密着し、両者に生じる静止摩擦力Ｆ２によって、吐出管部３２が抜け止め部１６ｆと一体化された状態を実現できる。
【符号の説明】
【００８０】
１Ａ    ニードルレス混注管
２    割弁
１１    チューブ固定管
１２    側管
１４    内筒
１６ｃ    コネクタ部
１６ｆ    抜け止め部
３０    シリンジ
３２    吐出管部
４０    ロックタイプのシリンジ
４２    吐出管部
Ｆ１    静止摩擦力
Ｆ２    静止摩擦力
【図１】
0003212189.tif 000003
【図２】
0003212189.tif 000004
【図３】
0003212189.tif 000005
【図４】
0003212189.tif 000006
【図５】
0003212189.tif 000007
【図６】
0003212189.tif 000008
【図７】
0003212189.tif 000009
【図８】
0003212189.tif 000010
【手続補正書】
【提出日】平成29年7月3日(2017.7.3)
【手続補正１】
【補正対象書類名】実用新案登録請求の範囲
【補正対象項目名】請求項４
【補正方法】変更
【補正の内容】
【請求項４】
前記吐出管部はロックタイプにて構成され、
前記本体キャップは前記吐出管部と螺合するネジ山を有し、
前記吐出管部を回転させて螺合を進行させるのにしたがって、
前記吐出管部の内筒を開弁位置まで移動させて割弁を開状態とする、
ことを特徴とする請求項１乃至請求項３のいずれか一項に記載のニードルレス混注管。